(57)【要約】【課題】少ないスペースで長尺な装飾電灯セットの実際の点灯状態を効果的に視認することができる装飾電灯セットの陳列用パネルを提供する。【解決手段】一端にプラグ２１を有する長尺の電気コード２２で多数の発光体２３を直列に接続してなる装飾電灯セット２を、適宜形状に配列して所望個所に陳列するためのパネル１であって、化粧板を構成する基板１１と、この基板の表面に形成され電気コード２２の適宜個所を固定するための固定部材１２とを備える。【選択図】  図３
2005323825.tif 000002
【特許請求の範囲】
【請求項１】
一端にプラグを有する長尺の電気コードで多数の発光体を直列に接続してなる装飾電灯セットを、適宜形状に配列して所望個所に陳列するためのパネルであって、
化粧板を構成する基板と、この基板の表面に形成され前記電気コードの適宜個所を固定するための固定部材と、を備えたことを特徴とする装飾電灯セットの陳列用パネル。
【請求項２】
前記基板を陳列対象物に固定するためのフックをさらに備えたことを特徴とする請求項１記載の装飾電灯セットの陳列用パネル。
【請求項３】
前記基板の表面に、前記発光体からの光を散乱させる規則的な凹凸が形成されていることを特徴とする請求項１又は２記載の装飾電灯セットの陳列用パネル。
【請求項４】
前記固定部材は、前記基板から第１の直径で構成された第１の筒体と、この第１の直径より大きい第２の直径でかつ前記第１の筒体より低く構成された第２の筒体と、前記第１の筒体の先端に固定された天板とを有することを特徴とする請求項１〜３の何れかに記載の装飾電灯セットの陳列用パネル。
【発明の詳細な説明】
【技術分野】
【０００１】
本発明は、クリスマス電灯セットなどの装飾電灯セットを販売店の陳列棚に飾るのに用いられる陳列用パネルに関する。
【背景技術】
【０００２】
多数の電球を電気コードで直列に接続し、クリスマスツリーなどに巻きつけて装飾するクリスマス電灯セットが知られているが、その長さが数メートルときわめて長尺であるため、商品として販売する際の化粧箱には電気コードを巻いた状態又は畳んだ状態で収納されている。
【０００３】
このため、化粧箱に入れたまま販売店の陳列棚に積んだだけではクリスマス電灯セットの内容や点灯状態がわからないので、サンプル品として化粧箱からクリスマス電灯セットを取り出し、クリスマスツリーに巻いて実際の点灯状態を買物客に見せることにより販売促進を図っている。
【０００４】
しかしながら、クリスマスツリーを置いてこれにクリスマス電灯セットを巻き付ける手法では、販売店の陳列スペースが侵食されてしまうといった問題があった。これを解消するために、巻いたままの電気コードを陳列棚のフックなどに引っ掛けるようにしても、本来の商品が隠れてしまったり、乱雑な感じを与えてしまったりして、却って見栄えが悪いという問題があった。
【発明の開示】
【０００５】
本発明は、少ないスペースで長尺な装飾電灯セットの実際の点灯状態を効果的に視認することができる装飾電灯セットの陳列用パネルを提供することを目的とする。
上記目的を達成するために、本発明によれば、一端にプラグを有する長尺の電気コードで多数の発光体を直列に接続してなる装飾電灯セットを、適宜形状に配列して所望個所に陳列するためのパネルであって、化粧板を構成する基板と、この基板の表面に形成され前記電気コードの適宜個所を固定するための固定部材と、を備えたことを特徴とする装飾電灯セットの陳列用パネルが提供される。
【０００６】
この場合、基板を陳列対象物に固定するためのフックをさらに備えることがより好ましい。
【０００７】
また、基板の表面に、発光体からの光を散乱させる規則的な凹凸を形成することがより好ましい。
【０００８】
さらに、固定部材の一例として、基板から第１の直径で構成された第１の筒体と、この第１の直径より大きい第２の直径でかつ前記第１の筒体より低く構成された第２の筒体と、前記第１の筒体の先端に固定された天板とで構成することができる。
【０００９】
本発明の装飾電灯セットの陳列用パネルでは、長尺の電気コードの適宜個所を固定部材に固定することで、装飾電灯セットを実際の個所、たとえばクリスマスツリーに装着した場合と同様の形状を現出することができ、これにより買物客に対して商品である装飾電灯セットの点灯状態をアピールすることができる。また、この固定部材を基板に取り付けているので、持ち運びにも便利であり、しかもどんな場所にでも陳列することができ、販売店の陳列スペースを侵食することもない。
【発明の実施の形態】
【００１０】
以下、本発明の実施形態を図面に基づいて説明する。  
図１は本発明の実施形態に係る陳列用パネルを示す全体斜視図、図２は図１のII-II線に沿う断面図、図３は本発明に係る装飾電灯セットの一例を示す図、図４は本発明の実施形態に係る陳列用パネルに装飾電灯セットを装着した状態を示す斜視図である。
【００１１】
本実施形態に係る陳列用パネル１は、商品たる装飾電灯セット２を販売店の陳列棚又はその近傍の壁などに展示して、販売促進を図るために用いられる。特に本実施形態に係る陳列用パネル１に用いられる装飾電灯セット２は、図４に示すように一端にプラグ２１を有する長尺の電気コード２２で多数の発光体２３を直列に接続してなるものである。発光体２３として発光ダイオードや電球などが用いられる。この種の装飾電灯セット２は、使用時にはクリスマスツリーに巻き付けたり庭の植木や柵に引っ掛けたりして点灯又は点滅させることで使用されるが、販売時には化粧箱に収納されているため実際の使用時のイメージをアピールすることが困難である。そこで、本実施形態に係る陳列用パネル１に装飾電灯セット２の一つを装着し、これを販売店の陳列棚又はその近傍に展示することで買物客に使用時のイメージをアピールすることができる。
【００１２】
本実施形態の陳列用パネル１は、図１及び図２に示すように、化粧板を構成する基板１１と、この基板１１の表面に形成され前記電気コード２２の適宜個所を固定するための固定部材１２と、を備える。
【００１３】
基板１１はアクリル樹脂などのプラスチックや木材又はアルミニウムなどの金属などにより構成され、その表面には装飾電灯セット２の発光体２３からの光を散乱させるための規則的な凹凸、たとえばダイヤモンドカットが形成されている。また、基板１１の上部及び下部のそれぞれは基板の前面側に傾斜して折り曲げられており、これにより装飾電灯セット２の発光体２３からの光を買物客に向かって集光させることができる。
【００１４】
基板１１の前面中央には、第１の直径で構成された第１の筒体１２１が設けられ、この第１の筒体の先端に円盤状の天板１２２が固定されている。また、第１の筒体１２１の外側には、第１の筒体より大きい第２の直径で構成された第２の筒体１２３が設けられている。この第２の筒体は第１の筒体より低く構成されている。これら第１の筒体１２１、第２の筒体１２３及び天板１２２が本発明に係る固定部材１２を構成する。
【００１５】
なお、基板１１の裏面には、当該基板を陳列棚や壁などに固定するためのフック１３が設けられている。また、基板１１の表面や天板１２２の表面には、展示する装飾電灯セット２に関する広告などを印刷したり、印刷したものが貼り付けられる。
【００１６】
このように構成された本実施形態の陳列用パネル１に装飾電灯セット２を装着するには、まず装飾電灯セット２のプラグ２１側をコンセントに届く程度の余裕を残し、それより先端側の電気コード２２を固定部材１２に巻き付ける。このとき、第１の筒体１２１から巻き付け始めて当該第１の筒体に巻き付け終わったら次に第２の筒体１２３に巻き付ける。またはその逆に、第２の筒体１２３から巻き付け始めて当該第２の筒対に巻き付け終わったら次に第１の筒体１２１に巻き付けても良い。何れの場合にも、直径が異なる２つの筒体１２１，１２３に巻き付けるので、巻き付けられた装飾電灯セット２を正面から見ると手前側に巻き付けられた電気コード２２の発光体２３と奥側に巻き付けられた電気コード２２の発光体２３とが重なることなく均等に広がって配列されることになり、装飾電灯セット２の発光イメージを買物客に充分にアピールすることができる。また、装飾電灯セット２を第１の筒体１２１及び第２の筒体１２３に単に巻き付けるだけなので陳列作業も簡便に行うことができる。
【００１７】
なお、以上説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００１８】
たとえば、本発明の基板１１の形状は矩形以外にも円形その他適宜形状に形成することができる。また、固定部材１２に付いても第１の筒体１２１、第２の筒体１２３及び天板１２２といった円形で構成する以外にも、装飾電灯セット２の電気コード２２を蛇行させる形状であっても良い。
【図面の簡単な説明】
【００１９】
【図１】本発明の実施形態に係る陳列用パネルを示す全体斜視図である。
【図２】図１のII-II線に沿う断面図である。
【図３】本発明に係る装飾電灯セットの一例を示す図である。
【図４】本発明の実施形態に係る陳列用パネルに装飾電灯セットを装着した状態を示す斜視図である。
【符号の説明】
【００２０】
１…陳列用パネル
１１…基板
１２…固定部材
１２１…第１の筒体
１２２…天板
１２３…第２の筒体
１３…フック
２…装飾電灯セット
２１…プラグ
２２…電気コード
２３…発光体
【図１】
2005323825.tif 000003
【図２】
2005323825.tif 000004
【図３】
2005323825.tif 000005
【図４】
2005323825.tif 000006